(57)【要約】【課題】装置の電源がオフになっている状態でボタンが押下された場合に、ユーザの意図に沿った処理を行うことができるようにする。【解決手段】本技術の一側面の制御方法は、番組の視聴に用いられる第１のアプリケーションとは異なる第２のアプリケーションの画面の表示中に装置の電源がオフにされ、装置が電源オフになっている状態で、電源ボタンが押下された場合、装置の電源をオンにするとともに第２のアプリケーションを起動し、第２のアプリケーションの画面を表示させ、選局ボタンが押下された場合、装置の電源をオンにするとともに第１のアプリケーションを起動し、選択されたチャンネルで提供されている番組の映像を表示させる。本技術は、テレビジョン受像機、パーソナルコンピュータ、携帯端末などの番組の視聴に用いられる機器に適用することができる。【選択図】図４
2018117311.tif 000002
【特許請求の範囲】
【請求項１】
チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に装置の電源がオフにされ、前記装置が電源オフになっている状態で、
電源のオンまたはオフに用いられる電源ボタンが押下された場合、
前記装置の電源をオンにするとともに前記第２のアプリケーションを起動し、前記第２のアプリケーションの画面を表示させ、
チャンネルの選択に用いられる選局ボタンが押下された場合、
前記装置の電源をオンにするとともに前記第１のアプリケーションを起動し、選択されたチャンネルで提供されている前記番組の映像を表示させる
ステップを含む制御方法。
【請求項２】
所定のチャンネルで提供されている前記番組の映像の表示中に前記装置の電源がオフにされ、前記装置が電源オフになっている状態で、
前記電源ボタンが押下された場合、
前記装置の電源をオンにするとともに前記第１のアプリケーションを起動し、前記装置の電源がオフにされる直前に選択されていたチャンネルで提供されている前記番組の映像を表示させ、
前記選局ボタンが押下された場合、
前記装置の電源をオンにするとともに前記第１のアプリケーションを起動し、選択されたチャンネルで提供されている前記番組の映像を表示させる
ステップをさらに含む請求項１に記載の制御方法。
【請求項３】
前記第１のアプリケーションは、放送信号を用いて提供される前記番組の処理を行うアプリケーションであり、
前記第２のアプリケーションは、ユーザによる選択に応じてネットワークを介して提供される動画コンテンツの処理を行うアプリケーションである
請求項１に記載の制御方法。
【請求項４】
前記電源ボタンと前記選局ボタンが用意された操作機器から送信されたコマンドに応じて、前記電源ボタンと前記選局ボタンのうちのいずれのボタンが押下されたのかを判定する
ステップをさらに含む請求項１に記載の制御方法。
【請求項５】
チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に装置の電源がオフにされ、前記装置が電源オフになっている状態で、
電源のオンまたはオフに用いられる電源ボタンが押下された場合、
前記装置の電源をオンにするとともに前記第２のアプリケーションを起動し、前記第２のアプリケーションの画面を表示させ、
チャンネルの選択に用いられる選局ボタンが押下された場合、
前記装置の電源をオンにするとともに前記第１のアプリケーションを起動し、選択されたチャンネルで提供されている前記番組の映像を表示させる
ステップを含む処理をコンピュータに実行させるプログラム。
【請求項６】
チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に電源をオフにすることが指示された場合、電源をオフとし、電源オフになっている状態で、電源のオンまたはオフに用いられる電源ボタンが押下された場合、または、チャンネルの選択に用いられる選局ボタンが押下された場合、電源をオンにする電源制御部と、
前記電源ボタンが押下されたことに応じて電源がオンになったとき、前記第２のアプリケーションを起動し、前記第２のアプリケーションの画面を表示させ、前記選局ボタンが押下されたことに応じて電源がオンになったとき、前記第１のアプリケーションを起動し、選択されたチャンネルで提供されている前記番組の映像を表示させる起動制御部と
を備える制御装置。
【請求項７】
チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に装置の電源がオフにされ、前記装置が電源オフになっている状態で、
所定のチャンネルで提供されている前記番組の映像の表示中にはチャンネルの選択に用いられ、前記第２のアプリケーションの画面の表示中には、割り当てられた所定の処理の選択に用いられる選局ボタンが押下された場合、
前記装置の電源をオンにするとともに前記第２のアプリケーションを起動し、前記所定の処理を行う
ステップを含む制御方法。
【請求項８】
前記装置が電源オフになっている状態で前記選局ボタンが押下された場合、
前記装置の電源をオンにするとともに、前記第１のアプリケーションを起動して、選択したチャンネルで提供されている前記番組の映像を表示させるのか、前記第２のアプリケーションを起動して、前記所定の処理を行うのかの選択に用いられる画面を表示し、
前記所定の処理を行うことがユーザにより選択された場合に、前記第２のアプリケーションを起動して前記所定の処理を行う
ステップをさらに含む請求項７に記載の制御方法。
【請求項９】
前記装置が電源オンの状態であり、前記第２のアプリケーションの画面の表示中に、前記選局ボタンが押下された場合、
選択したチャンネルで提供されている前記番組の映像を表示させるのか、前記第２のアプリケーションによる前記所定の処理を行うのかの選択に用いられる画面を表示し、
前記所定の処理を行うことがユーザにより選択された場合に、前記第２のアプリケーションにより前記所定の処理を行う
ステップをさらに含む請求項７に記載の制御方法。
【請求項１０】
チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に装置の電源がオフにされ、前記装置が電源オフになっている状態で、
所定のチャンネルで提供されている前記番組の映像の表示中にはチャンネルの選択に用いられ、前記第２のアプリケーションの画面の表示中には、割り当てられた所定の処理の選択に用いられる選局ボタンが押下された場合、
前記装置の電源をオンにするとともに前記第２のアプリケーションを起動し、前記所定の処理を行う
ステップを含む処理をコンピュータに実行させるプログラム。
【請求項１１】
チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に電源をオフにすることが指示された場合、電源をオフとし、電源オフになっている状態で、所定のチャンネルで提供されている前記番組の映像の表示中にはチャンネルの選択に用いられ、前記第２のアプリケーションの画面の表示中には、割り当てられた所定の処理の選択に用いられる選局ボタンが押下された場合、電源をオンにする電源制御部と、
前記選局ボタンが押下されたことに応じて電源がオンになったとき、前記第２のアプリケーションを起動し、前記所定の処理を行う起動制御部と
を備える制御装置。
【発明の詳細な説明】
【技術分野】
【０００１】
本技術は、制御方法、プログラム、および制御装置に関し、特に、装置の電源がオフになっている状態でボタンが押下された場合に、ユーザの意図に沿った処理を行うことができるようにした制御方法、プログラム、および制御装置に関する。
【背景技術】
【０００２】
近年、モダンOSと呼ばれるような、TV用のOS(Operating System)を搭載したテレビジョン受像機（TV）が普及してきている。
【０００３】
このようなTVには、テレビジョン番組の視聴用のアプリケーション、インターネットを介して配信される動画の視聴用のアプリケーション、ゲーム用のアプリケーションなどの、TV用のOS上で動作する各種のアプリケーションがインストールされる。ユーザは、メニュー画面を操作して所定のアプリケーションを起動させ、各機能を利用することになる。
【先行技術文献】
【特許文献】
【０００４】
【特許文献１】特開２０１５−０５０６５５号公報
【発明の概要】
【発明が解決しようとする課題】
【０００５】
TV用のOSを搭載しない従来のTVの中には、例えば電源オフの状態でリモートコントローラの数字ボタンを押した場合、電源ボタンを押さないでも電源オンとなり、数字ボタンに応じたチャンネルの受信が開始されるようになっているものがある。
【０００６】
TV用のOSを搭載したTVにも、電源オフの状態でリモートコントローラを操作することに応じて電源オンとなり、その直後に所定の処理が行われる機能を搭載することが考えられるが、その処理は、電源オフになる直前にユーザが使用していたアプリケーションなどに応じて切り替えることが好ましい。
【０００７】
本技術はこのような状況に鑑みてなされたものであり、装置の電源がオフになっている状態でボタンが押下された場合に、ユーザの意図に沿った処理を行うことができるようにするものである。
【課題を解決するための手段】
【０００８】
本技術の一側面の制御方法は、チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に装置の電源がオフにされ、前記装置が電源オフになっている状態で、電源のオンまたはオフに用いられる電源ボタンが押下された場合、前記装置の電源をオンにするとともに前記第２のアプリケーションを起動し、前記第２のアプリケーションの画面を表示させ、チャンネルの選択に用いられる選局ボタンが押下された場合、前記装置の電源をオンにするとともに前記第１のアプリケーションを起動し、選択されたチャンネルで提供されている前記番組の映像を表示させるステップを含む。
【０００９】
所定のチャンネルで提供されている前記番組の映像の表示中に前記装置の電源がオフにされ、前記装置が電源オフになっている状態で、前記電源ボタンが押下された場合、前記装置の電源をオンにするとともに前記第１のアプリケーションを起動し、前記装置の電源がオフにされる直前に選択されていたチャンネルで提供されている前記番組の映像を表示させ、前記選局ボタンが押下された場合、前記装置の電源をオンにするとともに前記第１のアプリケーションを起動し、選択されたチャンネルで提供されている前記番組の映像を表示させるようにすることができる。
【００１０】
前記第１のアプリケーションを、放送信号を用いて提供される前記番組の処理を行うアプリケーションとし、前記第２のアプリケーションを、ユーザによる選択に応じてネットワークを介して提供される動画コンテンツの処理を行うアプリケーションとすることができる。
【００１１】
前記電源ボタンと前記選局ボタンが用意された操作機器から送信されたコマンドに応じて、前記電源ボタンと前記選局ボタンのうちのいずれのボタンが押下されたのかを判定するステップをさらに含めることができる。
【００１２】
本技術の他の側面の制御方法は、チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に装置の電源がオフにされ、前記装置が電源オフになっている状態で、所定のチャンネルで提供されている前記番組の映像の表示中にはチャンネルの選択に用いられ、前記第２のアプリケーションの起動中には、割り当てられた所定の処理の選択に用いられる選局ボタンが押下された場合、前記装置の電源をオンにするとともに前記第２のアプリケーションを起動し、前記所定の処理を行うステップを含む。
【００１３】
前記装置が電源オフになっている状態で前記選局ボタンが押下された場合、前記装置の電源をオンにするとともに、前記第１のアプリケーションを起動して、選択したチャンネルで提供されている前記番組の映像を表示させるのか、前記第２のアプリケーションを起動して、前記所定の処理を行うのかの選択に用いられる画面を表示し、前記所定の処理を行うことがユーザにより選択された場合に、前記第２のアプリケーションを起動して前記所定の処理を行うステップをさらに含めることができる。
【００１４】
前記装置が電源オンの状態であり、前記第２のアプリケーションの画面の表示中に、前記選局ボタンが押下された場合、選択したチャンネルで提供されている前記番組の映像を表示させるのか、前記第２のアプリケーションによる前記所定の処理を行うのかの選択に用いられる画面を表示し、前記所定の処理を行うことがユーザにより選択された場合に、前記第２のアプリケーションにより前記所定の処理を行うステップをさらに含めることができる。
【００１５】
本技術の一側面においては、チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に装置の電源がオフにされ、前記装置が電源オフになっている状態で、電源のオンまたはオフに用いられる電源ボタンが押下された場合、前記装置の電源がオンになるとともに前記第２のアプリケーションが起動し、前記第２のアプリケーションの画面が表示され、チャンネルの選択に用いられる選局ボタンが押下された場合、前記装置の電源がオンになるとともに前記第１のアプリケーションが起動し、選択されたチャンネルで提供されている前記番組の映像が表示される。
【００１６】
本技術の他の側面の制御方法は、チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に装置の電源がオフにされ、前記装置が電源オフになっている状態で、所定のチャンネルで提供されている前記番組の映像の表示中にはチャンネルの選択に用いられ、前記第２のアプリケーションの起動中には、割り当てられた所定の処理の選択に用いられる選局ボタンが押下された場合、前記装置の電源がオンになるとともに前記第２のアプリケーションが起動し、前記所定の処理が行われる。
【発明の効果】
【００１７】
本技術によれば、装置の電源がオフになっている状態でボタンが押下された場合に、ユーザの意図に沿った処理を行うことができる。
【００１８】
なお、ここに記載された効果は必ずしも限定されるものではなく、本開示中に記載されたいずれかの効果であってもよい。
【図面の簡単な説明】
【００１９】
【図１】本技術の一実施形態に係る視聴システムの構成例を示す図である。
【図２】TVのアプリケーション構造の例を示す図である。
【図３】リモートコントローラの外観の例を示す図である。
【図４】電源オン時の挙動の例を示す図である。
【図５】TVのハードウェア構成例を示すブロック図である。
【図６】TVの機能構成例を示すブロック図である。
【図７】TVの制御処理について説明するフローチャートである。
【図８】TVの他の制御処理について説明するフローチャートである。
【図９】電源オン時の挙動の他の例を示す図である。
【図１０】TVのさらに他の制御処理について説明するフローチャートである。
【図１１】コンピュータの構成例を示すブロック図である。
【発明を実施するための形態】
【００２０】
以下、本技術を実施するための形態について説明する。説明は以下の順序で行う。
１．第１の実施の形態（番組の視聴を優先する例）
２．第２の実施の形態（優先する処理をユーザに選択させる例）
３．その他の例
【００２１】
＜＜第１の実施の形態＞＞
＜情報処理システムの構成例＞
図１は、本技術の一実施形態に係る視聴システムの構成例を示す図である。
【００２２】
図１の視聴システムは、テレビジョン受像機１（以下、適宜、TV１という）と配信サーバ２が、インターネットなどのネットワーク３を介して接続されることによって構成される。TV１の操作にはリモートコントローラ４が用いられる。リモートコントローラ４からTV１に対しては、ユーザが押下したボタンに応じたコマンドが送信される。
【００２３】
TV１と配信サーバ２の間では、ネットワーク３を介した通信が行われる。ネットワーク３は、有線のネットワーク、無線のネットワーク、および有線と無線を組み合わせたネットワークのいずれの形態のものであってもよい。
【００２４】
TV１は、図示せぬ放送局が送信する、地上デジタル放送、衛星放送、ケーブル放送などのテレビジョン放送を受信する。TV１は、放送された番組の映像をディスプレイに表示するとともに、番組の音声をスピーカから出力する。番組の提供がネットワーク３を介して行われるようにしてもよい。
【００２５】
ここで、TV１が受信する番組は、チャンネル毎に、予め決められたスケジュールに従って提供されるものである。複数のチャンネルが設定されており、各時間帯に、EPG(Electronic Program Guide)などで表されるスケジュールの通りに提供される番組であれば、番組の提供に用いられる伝送路の種別はどのようなものであってもよい。すなわち、番組の提供が、放送波だけでなく、ネットワーク３を介して行われるようにしてもよい。
【００２６】
配信サーバ２は、TV１を含む各装置に対して、ネットワーク３を介して動画コンテンツを配信する。動画コンテンツの配信先となる装置は、配信サーバ２が配信する動画コンテンツを受信して再生するためのアプリケーションがインストールされている装置である。TV１にも、このようなアプリケーションがインストールされる。
【００２７】
図２は、TV１のアプリケーション構造の例を示す図である。
【００２８】
TV１には、TV用OS(Operating System)１１が搭載される。TV用OS１１上で動作する各種のアプリケーションがTV１にはインストールされる。図２の例においては、TV視聴アプリケーション１２−１、検索アプリケーション１２−２、動画コンテンツ視聴アプリケーション１２−３，１２−４、番組表アプリケーション１２−５、およびWebブラウザ１２−ｎが示されている。
【００２９】
TV視聴アプリケーション１２−１は、各伝送路を介して提供される番組の視聴を管理するアプリケーションである。TV視聴アプリケーション１２−１の起動中、ユーザは、リモートコントローラ４を操作して所定のチャンネルを選択し、選択したチャンネルで放送されている番組を視聴することができる。
【００３０】
検索アプリケーション１２−２は、リモートコントローラ４を操作して、または音声によってユーザにより入力されたキーワードに基づいてWeb上のコンテンツの検索を行うアプリケーションである。検索アプリケーション１２−２が検索するコンテンツには、Webサイト、動画、静止画、音楽、ゲーム、電子書籍、アプリケーション、およびそれらの２つ以上の組み合わせからなる、ユーザが利用可能な各種のデジタルデータが含まれる。
【００３１】
動画コンテンツ視聴アプリケーション１２−３は、例えば配信サーバ２が配信する動画コンテンツの視聴を管理するアプリケーションである。図２の例においては、配信サーバ２を用いて行われている動画コンテンツの配信サービスは「サービスＡ」とされている。
【００３２】
例えば動画コンテンツ視聴アプリケーション１２−３の起動時、TV１には、配信サーバ２から送信されてきた情報に基づいてメニュー画面が表示される。メニュー画面には、タイトルやサムネイル画像などの、視聴可能な動画コンテンツに関する情報が表示されており、ユーザは、それらの情報を見て、好みの動画コンテンツを選択することができる。ユーザが所定の動画コンテンツを選択したとき、動画コンテンツの配信が開始され、配信サーバ２から配信された動画コンテンツがTV１により受信されて、再生が開始される。
【００３３】
このように、動画コンテンツ視聴アプリケーション１２−３を用いて視聴可能な動画コンテンツは、ユーザが選択したものが、選択することに応じて提供されるものである。すなわち、動画コンテンツは、同じ動画であっても、提供側が決めたスケジュールに従って提供される上記番組とは異なるものである。
【００３４】
動画コンテンツ視聴アプリケーション１２−４は、「サービスＢ」によって配信される動画コンテンツの視聴を管理するアプリケーションである。TV１においては、複数の事業者が提供する配信サービスを利用することが可能とされている。
【００３５】
「サービスＢ」による動画コンテンツの配信は、例えば配信サーバ２とは異なるサーバにより行われる。ネットワーク３には、TV１にインストールされたアプリケーションと連携することによって所定の機能を実現するための各種のサーバが接続されている。
【００３６】
番組表アプリケーション１２−５は、番組表の表示を管理するアプリケーションである。図２の例においては、Webブラウザ１２−ｎも用意されている。
【００３７】
例えば、TV視聴アプリケーション１２−１は、TV１の製造、販売等を行うメーカーにより用意されるソフトウェアである。動画コンテンツ視聴アプリケーション１２−３，１２−４は、それぞれのサービスを提供する事業者により用意されるソフトウェアである。検索アプリケーション１２−２とWebブラウザ１２−ｎは、TV用OS１１を提供する企業により用意されるソフトウェアである。
【００３８】
番組や動画コンテンツの受信と再生、番組の検索などの各種の機能が、これらのプログラムが実行されることによって実現される。TV視聴アプリケーション１２−１以外のアプリケーションは、テレビジョン受像機における一般的な用途である番組の視聴とは異なる用途に用いられるアプリケーションである。以下、適宜、TV視聴アプリケーション１２−１以外のアプリケーションを非TVアプリケーションという。
【００３９】
このような各種の機能を有するTV１の操作は、上述したようにリモートコントローラ４を用いて行われる。
【００４０】
図３は、リモートコントローラ４の外観の例を示す図である。縦長直方体状のリモートコントローラ４の正面には各種のボタンが設けられる。主なボタンについて説明する。
【００４１】
リモートコントローラ４の右上には円形状の電源ボタン２１が設けられる。電源ボタン２１は、TV１の電源のオンまたはオフに用いられるボタンである。
【００４２】
電源ボタン２１の下には数字ボタン２２が設けられる。数字ボタン２２は、１乃至１２の数字が示された横向き小判状のボタンが４行×３列に配置されることによって構成される。数字ボタン２２を構成する各ボタンは、受信するチャンネルを切り換えるときに用いられるボタンである。
【００４３】
数字ボタン２２の右下には、「サービスＡ」の文字が示されるネット動画ボタン２３が設けられる。ネット動画ボタン２３は、動画コンテンツ視聴アプリケーション１２−３を起動させ、サービスＡで提供される動画コンテンツを視聴するときに押下されるボタンである。
【００４４】
リモートコントローラ４の略中央には円形状の十字ボタン２４が設けられ、その中心に決定ボタン２５が設けられる。十字ボタン２４は各種の画面において項目の選択などに用いられ、決定ボタン２５は項目の決定に用いられる。
【００４５】
十字ボタン２４を囲むように複数のボタンが配置される。十字ボタン２４の左上にはテレビボタン２６が設けられ、右上には番組表ボタン２７が設けられる。十字ボタン２４の右下にはホームボタン２８が設けられる。
【００４６】
テレビボタン２６は、例えばTV視聴アプリケーション１２−１を起動させ、番組を視聴するときに押下されるボタンである。番組表ボタン２７は、番組表アプリケーション１２−５を起動させ、番組表を表示させるときに押下されるボタンである。ホームボタン２８は、例えばホーム画面を表示させるときに押下されるボタンである。ホーム画面は、番組の視聴、動画コンテンツの視聴、番組の録画、録画済みの番組の視聴などの機能の選択に用いられる画面である。
【００４７】
ホームボタン２８の下には、縦向き小判状のチャンネルボタン２９が設けられる。チャンネルボタン２９の上方の「＋」が示された部分は、チャンネル番号順で、選択中のチャンネルの次のチャンネルを選択（チャンネルアップ）するときに押下される部分である。また、下方の「−」が示された部分は、選択中のチャンネルの前のチャンネルを選択（チャンネルダウン）するときに押下される部分である。
【００４８】
例えば番組の視聴中、ユーザは、数字ボタン２２を押下することによってもチャンネルを切り替えることができるし、チャンネルボタン２９を押下することによってもチャンネルを切り替えることができる。以下、適宜、数字ボタン２２とチャンネルボタン２９を区別する必要がない場合、まとめて、選局ボタンという。
【００４９】
なお、リモートコントローラ４に代えて、いわゆるスマートフォンやタブレット端末などの携帯端末がTV１の操作に用いられるようにしてもよい。この場合、携帯端末には、TV１を操作するためのアプリケーションがインストールされる。TV１を操作するためのアプリケーションを起動させた場合、携帯端末のディスプレイには、図３に示すボタンと同様の各種のボタンが表示される。ユーザは、ディスプレイに表示されたボタンに指などで触れることによって、TV１を操作することができる。
【００５０】
＜電源オン時の挙動の例＞
図４は、電源オン時の挙動の例を示す図である。
【００５１】
図４の左上に示す状態は、ユーザが動画コンテンツ視聴アプリケーション１２−３を起動させ、所定の動画コンテンツを視聴している状態である。TV１のディスプレイには、ユーザが選択した動画コンテンツの映像が表示されている。
【００５２】
この状態でユーザが電源ボタン２１を押下した場合、TV１の電源はオフとなる。矢印＃１の先に示すように、TV１のディスプレイは何も表示されない状態となる。電源オフの直前に起動していたアプリケーションは、動画コンテンツ視聴アプリケーション１２−３となる。
【００５３】
なお、アプリケーションが起動している状態とは、画面の表示から、実行されていることをユーザが確認することができ、そのアプリケーションの機能を利用することが可能な状態のことを意味する。TV１においては同時に複数のアプリケーションが実行されるが、実行中のアプリケーションのうち、画面表示のための処理を行っていて、リモートコントローラ４を操作してユーザが所定の処理を行わせることができるアプリケーションが、起動しているアプリケーションとなる。
【００５４】
また、電源オフの状態とは、スタンバイ状態やスリープ状態と呼ばれる、リモートコントローラ４による操作を待機する状態のことを意味する。電源オフの間も、主電源はオンとなっており、コンセントなどからの電源はTV１に供給されている。
【００５５】
反対に、電源オンの状態とは、スタンバイ状態やスリープ状態が解除され、所定のアプリケーションが起動することによって、何らかの画面がディスプレイに表示されている状態を意味する。当然、電源オンの状態のとき、ユーザは、リモートコントローラ４を操作し、起動中のアプリケーションの機能を利用することができる。
【００５６】
TV１が電源オフになっている状態で、矢印＃２の先に示すようにユーザが電源ボタン２１を押下した場合、矢印＃３の先に示すように、TV１の電源がオンとなり、ディスプレイには、電源オフの直前に起動していたアプリケーションである動画コンテンツ視聴アプリケーション１２−３の画面が表示される。電源オンになることに応じて動画コンテンツ視聴アプリケーション１２−３が起動し、実行されることになる。
【００５７】
電源オンの直後に表示される画面は、動画コンテンツ視聴アプリケーション１２−３により表示される画面であれば、ユーザが電源オフの直前に視聴していた動画コンテンツの映像の画面であってもよいし、サービスＡのメニュー画面であってもよい。
【００５８】
このように、ユーザは、電源ボタン２１を押下することにより、電源オフの直前に利用していたアプリケーションを起動させ、その機能を電源オンの直後に利用することが可能になる。電源オンの直後にメニュー画面が表示されるとした場合、例えば電源オフの直前に見ていた動画コンテンツの続きを見るためには、メニュー画面から動画コンテンツ視聴アプリケーション１２−３を選択するなどの操作が必要になるが、そのような手間が不要になる。
【００５９】
なお、動画コンテンツ視聴アプリケーション１２−３以外の非TVアプリケーションが電源オフの直前に起動していた場合も同様の処理が行われる。電源オフのときに電源ボタン２１が押下された場合、ディスプレイには、電源オフの直前に起動していた非TVアプリケーションの画面が表示される。
【００６０】
一方、TV１が電源オフになっている状態で、矢印＃４の先に示すようにユーザがチャンネルボタン２９を押下した場合、矢印＃５の先に示すように、TV１の電源がオンとなり、ディスプレイには、最後に選択されていたチャンネルで提供中の番組が表示される。
【００６１】
すなわち、TV１においては、電源オンになることに応じてTV視聴アプリケーション１２−１が起動し、実行されることになる。また、保存されていた情報に基づいて、最後に選択されていたチャンネルであるラストチャンネルが特定され、ラストチャンネルの受信（ラストチャンネルで提供されている番組の受信）が開始されることになる。
【００６２】
TV１においては、他のアプリケーションに切り替えたり電源オフにしたりしてTV視聴アプリケーション１２−１を終了させる時、ラストチャンネルの情報がメモリに保存される。電源オフの状態でのチャンネルボタン２９の押下は、ラストチャンネルを選択する操作となる。
【００６３】
また、TV１が電源オフになっている状態で矢印＃６の先に示すようにユーザが数字ボタン２２を押下した場合、矢印＃７の先に示すように、TV１の電源がオンとなり、ディスプレイには、数字ボタン２２を用いて選択されたチャンネルで提供中の番組が表示される。例えば、１の数字が示されたボタンが押下された場合、そのボタンに対応する、１のチャンネル番号が割り当てられているチャンネルの受信が開始され、提供中の番組の映像が表示される。
【００６４】
ユーザが押下したボタンに対応するチャンネルが設定されていない場合、チャンネルボタン２９が押下された場合と同様に、ラストチャンネルの受信が開始され、ラストチャンネルで提供中の番組の映像が表示されるようにしてもよい。
【００６５】
ユーザは、選局ボタンを押下することにより、TV視聴アプリケーション１２−１を起動させ、選択したチャンネルで提供中の番組を電源オンの直後から視聴することができる。電源オンになった直後にメニュー画面が表示されるとした場合、所定のチャンネルで提供中の番組を見るときには、メニュー画面からTV視聴アプリケーション１２−１を選択するなどの操作が必要になるが、そのような手間が不要になる。
【００６６】
このように、電源オフの状態で電源ボタン２１が押下された場合、電源オフの直前に起動していたアプリケーションが起動することになる。
【００６７】
また、電源オフの状態で選局ボタンが押下された場合、電源オフの直前にユーザが利用していたアプリケーションに関わらず、TV視聴アプリケーション１２−１が優先的に起動することになる。
【００６８】
数字ボタン２２やチャンネルボタン２９はチャンネルの選択に主に用いられるボタンであり、それを電源オフのときに押下するということは、電源オン直後から、選択したチャンネルで提供中の番組を視聴するという意図をユーザが有しているものと考えられる。電源オフの状態で選局ボタンが押下されたときに、選択されたチャンネルの受信を開始するようにすることにより、ユーザの意図に沿った処理を行うことが可能になる。
【００６９】
ユーザが押下したボタンに応じて、起動するアプリケーションを以上のようにして切り替えるTV１の一連の処理についてはフローチャートを参照して後述する。
【００７０】
＜TV１の構成＞
図５は、TV１のハードウェア構成例を示すブロック図である。
【００７１】
チューナ部１０１は、図示せぬアンテナから供給された放送波信号、または、衛星放送やケーブルテレビのセットトップボックスから供給された放送波信号を受信し、ユーザにより選択されたチャンネルの信号を抽出する。チューナ部１０１は、抽出した信号に対して、A/D変換、復調などの各種の処理を施し、各種の処理を施すことによって取得した番組データをデコーダ１０２に出力する。
【００７２】
デコーダ１０２は、番組データを構成するビデオストリームをデコードし、番組の映像をLCD(Liquid Crystal Display)や有機ELディスプレイなどよりなるディスプレイ１０３に表示させる。また、デコーダ１０２は、番組データを構成するオーディオストリームをデコードし、映像に同期させて、番組の音声をスピーカ１０４から出力させる。
【００７３】
CPU(Central Processing Unit)１０６、ROM(Read Only Memory)１０７、RAM(Random Access Memory)１０８は、バス１０５により相互に接続される。CPU１０６は、ROM１０７や記録部１０９に記録されているプログラムをRAM１０８を用いて実行し、TV１の全体を制御する。
【００７４】
記録部１０９は、HDD(Hard Disk Drive)やSSD(Solid State Drive)などの記録媒体により構成される。記録部１０９は、番組データ、EPGデータ、プログラムなどの各種のデータを記録する。
【００７５】
通信部１１０は、ネットワーク３のインタフェースである。通信部１１０は、配信サーバ２との間で通信を行う。
【００７６】
操作I/F部１１１は、リモートコントローラ４から送信されてきたコマンドを受信し、バス１０５を介してCPU１０６に出力する。
【００７７】
図６は、TV１の機能構成例を示すブロック図である。
【００７８】
図６に示す機能部のうちの少なくとも一部は、図５のCPU１０６によりTV用OS１１を含む所定のプログラムが実行されることによって実現される。TV１においては、コマンド受信部１２１、電源制御部１２２、アプリケーション起動制御部１２３、および表示制御部１２４が実現される。
【００７９】
コマンド受信部１２１は、リモートコントローラ４から送信され、操作I/F部１１１において受信されたコマンドを受信する。コマンド受信部１２１は、ユーザにより押下されたボタンに対応するコマンドを電源制御部１２２、アプリケーション起動制御部１２３、および表示制御部１２４にそれぞれ出力する。コマンド受信部１２１においては、出力先の機能部が理解できるようにコマンドの変換が適宜行われる。
【００８０】
電源制御部１２２は、図示せぬ電源回路を駆動させ、TV１の電源のオン／オフを制御する。例えば、電源制御部１２２は、電源オンの状態で電源ボタン２１が押下された場合、TV１の電源をオフとし、電源オフの状態で電源ボタン２１、数字ボタン２２、チャンネルボタン２９などの所定のボタンが押下された場合、TV１の電源をオンにする。
【００８１】
アプリケーション起動制御部１２３は、アプリケーションの実行を制御する。例えばアプリケーション起動制御部１２３は、テレビボタン２６が押下された場合、または、ホーム画面から番組の視聴が選択された場合、TV視聴アプリケーション１２−１を起動させ、実行する。また、アプリケーション起動制御部１２３は、ネット動画ボタン２３が押下された場合、または、ホーム画面からサービスＡの動画コンテンツの視聴が選択された場合、動画コンテンツ視聴アプリケーション１２−３を起動させ、実行する。
【００８２】
表示制御部１２４は、各アプリケーションの画面などの、ディスプレイ１０３の表示を制御する。
【００８３】
＜TV１の動作＞
ここで、図７のフローチャートを参照して、以上のような構成を有するTV１の制御処理について説明する。
【００８４】
図７の処理は、TV１の電源がオンであり、リモートコントローラ４の所定のボタンが押下されることにより、またはホーム画面から番組の視聴以外の機能が選択されることにより、非TVアプリケーションの起動が指示されたときに行われる。ユーザの操作に対応するコマンドがコマンド受信部１２１から各部に供給される。
【００８５】
ステップＳ１において、アプリケーション起動制御部１２３は、ユーザの操作に応じた非TVアプリケーションを起動させ、実行する。
【００８６】
例えばサービスＡの動画コンテンツを視聴することが選択された場合、アプリケーション起動制御部１２３は、動画コンテンツ視聴アプリケーション１２−３を起動させる。ディスプレイ１０３には、動画コンテンツ視聴アプリケーション１２−３により、メニュー画面が表示され、メニュー画面からユーザにより選択された動画コンテンツの再生が開始される。配信サーバ２から送信され、通信部１１０により受信された動画コンテンツは動画コンテンツ視聴アプリケーション１２−３により取得され、再生される。再生された動画コンテンツの映像がディスプレイ１０３に表示され、音声がスピーカ１０４から出力される。
【００８７】
ステップＳ２において、電源制御部１２２は、電源ボタン２１が押下されたか否かをコマンド受信部１２１から供給されるコマンドに基づいて判定する。電源ボタン２１が押下されたとステップＳ２において判定されるまで、ステップＳ１に戻り、非TVアプリケーションの処理が続けられる。
【００８８】
電源ボタン２１が押下されたとステップＳ２において判定した場合、ステップＳ３において、電源制御部１２２はTV１の電源をオフにする。ディスプレイ１０３の表示は消えた状態になる。
【００８９】
ステップＳ４において、電源制御部１２２は、電源ボタン２１または選局ボタンが押下されたか否かを判定する。ここでは、リモートコントローラ４のボタンのうち、電源ボタン２１と選局ボタン（数字ボタン２２、チャンネルボタン２９）の押下に応じた処理について説明する。電源ボタン２１または選局ボタンが押下されたとステップＳ４において判定されるまで、ステップＳ３に戻り、電源オフの状態が続けられる。
【００９０】
電源ボタン２１が押下されたとステップＳ４において判定した場合、ステップＳ５において、電源制御部１２２はTV１の電源をオンにする。
【００９１】
ステップＳ６において、アプリケーション起動制御部１２３は、電源オフの直前に起動させてユーザが利用していたものと同じ非TVアプリケーションを起動させ、実行する。電源オンの直後のディスプレイ１０３には、非TVアプリケーションの画面が表示される。
【００９２】
上述したように電源オフの直前にユーザがサービスＡの動画コンテンツを視聴していた場合、アプリケーション起動制御部１２３は、動画コンテンツ視聴アプリケーション１２−３を起動させる。ディスプレイ１０３には、メニュー画面や動画コンテンツの映像などの、動画コンテンツ視聴アプリケーション１２−３の画面が表示される。
【００９３】
一方、選局ボタンが押下されたとステップＳ４において判定した場合、ステップＳ７において、電源制御部１２２はTV１の電源をオンにする。
【００９４】
ステップＳ８において、アプリケーション起動制御部１２３は、TV視聴アプリケーション１２−１を起動させ、実行する。ここで起動したTV視聴アプリケーション１２−１は、チューナ部１０１を制御して、ユーザにより選択されたチャンネルの信号の受信を開始させ、ユーザにより選択されたチャンネルで提供中の番組のデータを取得する。
【００９５】
選局ボタンとして数字ボタン２２が押下された場合、押下されたボタンに対応する番号のチャンネルで提供中の番組のデータが取得される。また、選局ボタンとしてチャンネルボタン２９が押下された場合、ラストチャンネルで提供中の番組のデータが取得される。取得された番組のデータはデコーダ１０２によりデコードされ、番組の映像がディスプレイ１０３に表示される。
【００９６】
ステップＳ６において非TVアプリケーションが起動した後、またはステップＳ８においてTV視聴アプリケーション１２−１が起動した後、電源オン時の制御処理は終了となり、それ以降、実行中のそれぞれのアプリケーションの処理が行われる。
【００９７】
以上の処理により、TV１は、ユーザの意図に沿った機能を実現するためのアプリケーションを、電源オンの直後に起動させることができる。
【００９８】
次に、図８のフローチャートを参照して、電源オフの直前に、TV視聴アプリケーション１２−１を起動していた場合の処理について説明する。
【００９９】
図８の処理は、TV１の電源がオンであり、番組を視聴することがユーザにより指示されたときに行われる。ユーザの操作に対応するコマンドがコマンド受信部１２１から各部に供給される。
【０１００】
ステップＳ１１において、アプリケーション起動制御部１２３は、TV視聴アプリケーション１２−１を起動させ、実行する。
【０１０１】
TV視聴アプリケーション１２−１の実行中、数字ボタン２２またはチャンネルボタン２９によって選択されたチャンネルで提供中の番組の再生が開始される。ディスプレイ１０３には提供中の番組の映像が表示される。
【０１０２】
ステップＳ１２において、電源制御部１２２は、電源ボタン２１が押下されたか否かをコマンド受信部１２１から供給されるコマンドに基づいて判定する。電源ボタン２１が押下されたとステップＳ１２において判定されるまで、ステップＳ１１に戻り、提供中の番組の再生が続けられる。
【０１０３】
電源ボタン２１が押下されたとステップＳ１２において判定した場合、ステップＳ１３において、電源制御部１２２はTV１の電源をオフにする。ディスプレイ１０３の表示は消えた状態になる。
【０１０４】
ステップＳ１４において、電源制御部１２２は、電源ボタン２１または選局ボタンが押下されたか否かを判定する。電源ボタン２１または選局ボタンが押下されたとステップＳ１４において判定されるまで、ステップＳ１３に戻り、電源オフの状態が続けられる。
【０１０５】
電源ボタン２１が押下されたとステップＳ１４において判定した場合、ステップＳ１５において、電源制御部１２２はTV１の電源をオンにする。
【０１０６】
ステップＳ１６において、アプリケーション起動制御部１２３は、TV視聴アプリケーション１２−１を起動させ、実行する。ここで起動したTV視聴アプリケーション１２−１は、チューナ部１０１を制御してラストチャンネルの信号の受信を開始させ、ラストチャンネルで提供中の番組のデータを取得する。電源オンの直後のディスプレイ１０３には、ラストチャンネルで提供中の番組の映像が表示される。
【０１０７】
一方、選局ボタンが押下されたとステップＳ１４において判定した場合、ステップＳ１７において、電源制御部１２２はTV１の電源をオンにする。
【０１０８】
ステップＳ１８において、アプリケーション起動制御部１２３は、TV視聴アプリケーション１２−１を起動させ、実行する。ここで起動したTV視聴アプリケーション１２−１は、チューナ部１０１を制御して、ユーザにより選択されたチャンネルの信号の受信を開始させ、ユーザにより選択されたチャンネルで提供中の番組のデータを取得する。
【０１０９】
選局ボタンとして数字ボタン２２が押下された場合、押下されたボタンに対応する番号のチャンネルで提供中の番組のデータが取得される。また、選局ボタンとしてチャンネルボタン２９が押下された場合、ラストチャンネルで提供中の番組のデータが取得される。取得された番組のデータはデコーダ１０２によりデコードされ、番組の映像がディスプレイ１０３に表示される。
【０１１０】
ステップＳ１６またはステップＳ１８においてTV視聴アプリケーション１２−１が起動した後、電源オン時の制御処理は終了となり、それ以降、実行中のそれぞれのアプリケーションの処理が行われる。
【０１１１】
このように、番組の視聴中に電源がオフにされ、電源オフの状態で電源ボタン２１が押下された場合、電源オフの直前に起動していたTV視聴アプリケーション１２−１が起動し、電源オフの直前に受信していたチャンネルの受信が開始されることになる。
【０１１２】
また、電源オフの状態で選局ボタンが押下された場合、TV視聴アプリケーション１２−１が起動し、ユーザにより選択されたチャンネルの受信が開始されることになる。
【０１１３】
以上においては、電源オフ時に電源ボタン２１が押下された場合と選局ボタンが押下された場合について説明したが、他のボタンが押下された場合も同様の処理が行われる。
【０１１４】
例えば、電源オフの状態においてテレビボタン２６が押下された場合、チャンネルボタン２９が押下された場合と同様に、TV視聴アプリケーション１２−１が起動し、ラストチャンネルの受信が開始される。また、電源オフの状態において番組表ボタン２７が押下された場合、他の非TVアプリケーションの起動時の処理と同様に、番組表アプリケーション１２−５が起動し、電源オンの直後のディスプレイ１０３には番組表が表示される。
【０１１５】
＜＜第２の実施の形態＞＞
非TVアプリケーションの利用中に電源オフとなり、その後、選局ボタンが押下された場合、番組の視聴を始めるのか、電源オフの直前に起動していた非TVアプリケーションを起動させて選局ボタンに応じた処理を行うのかをユーザに選択させるようにしてもよい。この場合、上述した例とは異なり、TV視聴アプリケーション１２−１が常に優先されるわけではない。
【０１１６】
動画コンテンツ視聴アプリケーション１２−３，１２−４などの非TVアプリケーションにおいても、数字ボタン２２やチャンネルボタン２９を用いた操作が可能とされ、それらのボタンに所定の機能が割り当てられる場合が考えられる。ユーザは、電源をオンにして非TVアプリケーションを起動させ、押下した選局ボタンに応じた機能を実現するための処理が行われるようにすることを選択できることになる。
【０１１７】
図９は、電源オン時の挙動の他の例を示す図である。
【０１１８】
図９の左上に示す状態は、図４を参照して説明した場合と同様に、ユーザが動画コンテンツ視聴アプリケーション１２−３を起動させ、所定の動画コンテンツを視聴している状態である。TV１のディスプレイ１０３には、ユーザが選択した動画コンテンツの映像が表示されている。
【０１１９】
この状態でユーザが電源ボタン２１を押下した場合、TV１の電源はオフになる。矢印＃１１の先に示すように、TV１のディスプレイ１０３は何も表示されない状態となる。
【０１２０】
TV１が電源オフになっている状態で、矢印＃１２の先に示すようにユーザが電源ボタン２１を押下した場合、矢印＃１３の先に示すように、TV１の電源がオンとなり、ディスプレイ１０３には、ユーザが、電源オフの直前に起動していた非TVアプリケーションである動画コンテンツ視聴アプリケーション１２−３の画面が表示される。電源オンになることに応じて動画コンテンツ視聴アプリケーション１２−３が起動し、実行されることになる。
【０１２１】
このように、電源ボタン２１を押下した場合の処理は、図４を参照して説明した処理と同様である。
【０１２２】
一方、TV１が電源オフになっている状態で、矢印＃１４の先に示すようにユーザが選局ボタンを押下した場合、矢印＃１５の先に示すように、TV１の電源がオンとなり、ディスプレイ１０３には、番組の視聴を始めるか否かの選択画面が表示される。ユーザは、十字ボタン２４や決定ボタン２５を用いて、TV視聴アプリケーション１２−１を起動させて番組の視聴を始めるか否かを選択する。選択画面は、起動させるアプリケーションの選択に用いられる画面である。
【０１２３】
番組の視聴を始めることが選択画面において選択された場合、矢印＃１６の先に示すように、TV１の電源がオンとなり、ユーザが選択したチャンネルで提供中の番組の映像が表示される。
【０１２４】
すなわち、電源オンになることに応じてTV視聴アプリケーション１２−１が起動し、チャンネルボタン２９が押下されていた場合には、ラストチャンネルの受信が開始され、ラストチャンネルで提供中の番組の映像が表示される。また、数字ボタン２２が押下されていた場合には、ユーザが選択したチャンネルの受信が開始され、そのチャンネルで提供中の番組の映像が表示される。
【０１２５】
番組の視聴を始めないことが選択画面において選択された場合、TV１の電源がオンとなり、電源オフの直前に起動していたものと同じ非TVアプリケーションが起動する。非TVアプリケーションにより、押下された選局ボタンに割り当てられた機能を実現するための処理が行われ、適宜、ディスプレイ１０３には、その機能に関する画面が表示される。
【０１２６】
このように、TV視聴アプリケーション１２−１を優先させて番組の視聴を始めるのか、電源オフの直前に起動していた非TVアプリケーションを優先させてその機能を利用するのかをユーザに選択させるようにしてもよい。これによっても、TV１は、ユーザの意図に沿った処理を行うことが可能になる。また、ボタン押し時間の長短に基づき、TV視聴アプリケーションを優先するのか、非TVアプリケーションを優先するのか決定するようにしてもよい。例えば、ボタン押し時間が短い場合には、TV視聴アプリケーションを優先し、ボタン押し時間が長い場合には、非TVアプリケーションを優先するようにしても良い。また、ボタンを押す回数に基づき、どのアプリを優先するかを決定するようにしてもよい。
【０１２７】
図１０のフローチャートを参照して、以上のようにしてアプリケーションの起動を制御するTV１の処理について説明する。図１０の処理は、TV１の電源がオンであり、非TVアプリケーションの起動が指示されたときに開始される。
【０１２８】
図１０に示す処理のうち、図７の処理と同じ処理の説明については適宜省略する。図１０のステップＳ２１乃至ステップＳ２６の処理は、図７のステップＳ１乃至ステップＳ６の処理と同様である。
【０１２９】
ステップＳ２１において、アプリケーション起動制御部１２３は、ユーザの操作に応じた非TVアプリケーションを起動させ、実行する。
【０１３０】
ステップＳ２２において、電源制御部１２２は、電源ボタン２１が押下されたか否かを判定する。電源ボタン２１が押下されたとステップＳ２２において判定されるまで、ステップＳ２１に戻り、非TVアプリケーションの処理が続けられる。
【０１３１】
電源ボタン２１が押下されたとステップＳ２２において判定した場合、ステップＳ２３において、電源制御部１２２はTV１の電源をオフにする。ディスプレイ１０３の表示は消えた状態になる。
【０１３２】
ステップＳ２４において、電源制御部１２２は、電源ボタン２１または選局ボタンが押下されたか否かを判定する。電源ボタン２１または選局ボタンが押下されたとステップＳ２４において判定されるまで、ステップＳ２３に戻り、電源オフの状態が続けられる。
【０１３３】
電源ボタン２１が押下されたとステップＳ２４において判定した場合、ステップＳ２５において、電源制御部１２２はTV１の電源をオンにする。
【０１３４】
ステップＳ２６において、アプリケーション起動制御部１２３は、電源オフの直前に起動させてユーザが利用していたものと同じ非TVアプリケーションを起動させ、実行する。電源オンの直後のディスプレイ１０３には、非TVアプリケーションの画面が表示される。
【０１３５】
一方、選局ボタンが押下されたとステップＳ２４において判定した場合、ステップＳ２７において、電源制御部１２２はTV１の電源をオンにする。
【０１３６】
ステップＳ２８において、表示制御部１２４は、実行するアプリケーションの選択画面をディスプレイ１０３に表示させる。
【０１３７】
ステップＳ２９において、アプリケーション起動制御部１２３は、実行するアプリケーションとしてTV視聴アプリケーション１２−１が選択されたか否かを判定する。
【０１３８】
番組を視聴することが選択されたことから、TV視聴アプリケーション１２−１が選択されたとステップＳ２９において判定した場合、ステップＳ３０において、アプリケーション起動制御部１２３は、TV視聴アプリケーション１２−１を起動させ、実行する。TV視聴アプリケーション１２−１は、チューナ部１０１を制御して、ユーザにより選択されたチャンネルの信号の受信を開始させ、ユーザにより選択されたチャンネルで提供中の番組のデータを取得させる。
【０１３９】
一方、番組を視聴することが選択されずに、TV視聴アプリケーション１２−１が選択されなかったとステップＳ２９において判定した場合、ステップＳ３１において、アプリケーション起動制御部１２３は、電源オフの直前に起動させていた非TVアプリケーションを起動させ、実行する。非TVアプリケーションは、ユーザにより押下された選局ボタンに割り当てられた機能を実現するための処理を行う。
【０１４０】
ステップＳ２６，Ｓ３１において非TVアプリケーションが起動した後、またはステップＳ３０においてTV視聴アプリケーション１２−１が起動した後、電源オン時の制御処理は終了となり、それ以降、実行中のそれぞれのアプリケーションの処理が行われる。
【０１４１】
以上のように、選局ボタンを押下したときに実行するアプリケーションをユーザに選択させるようにすることも可能である。
【０１４２】
TV１が電源オンの状態であり、非TVアプリケーションの画面の表示中にユーザが選局ボタンを押下した場合にも、番組の視聴を始めるか否かの選択画面を表示させるようにしてもよい。番組の視聴を始めることが選択画面において選択された場合、TV視聴アプリケーション１２−１が起動して番組の映像の表示が開始される。また、番組の視聴を始めないことが選択画面において選択された場合、非TVアプリケーションが引き続き起動した状態となり、非TVアプリケーションにより、押下された選局ボタンに割り当てられた機能を実現するための処理が行われ、適宜、その機能に関する画面が表示される。
【０１４３】
＜＜その他の例＞＞
電源オフの状態から電源オンとなるときのアプリケーションの切り替えについて説明したが、ホーム画面を表示している状態などの他の状態から、それとは異なる状態に遷移するときの切り替えにも適用可能である。
【０１４４】
例えば、ホーム画面を表示している状態で、テレビボタン２６またはチャンネルボタン２９が押下された場合、TV視聴アプリケーション１２−１を起動させてラストチャンネルの受信を開始させ、一方、数字ボタン２２が押下された場合、非TVアプリケーションを起動させて、押下されたボタンに対応する処理を行わせるようにすることが可能である。
【０１４５】
また、番組の視聴に用いる装置がTVであるものとしたが、パーソナルコンピュータにおいて番組を視聴する場合にも適用することができるし、スマートフォンやタブレット端末などの携帯端末において番組を視聴する場合にも適用することが可能である。
【０１４６】
パーソナルコンピュータや携帯端末を用いて番組を視聴する場合、バーチャルチューナの機能を用いて番組が受信されるようにしてもよい。バーチャルチューナは、ソフトウェアのチューナであり、インターネットを介して提供される番組を受信する機能である。バーチャルチューナの機能によって受信される番組は、サービスの提供者が規定するチャンネル毎に、予め決められたスケジュールに従って提供される動画のコンテンツである。
【０１４７】
さらに、リモートコントローラ４において押下されたボタンの種類に応じて、起動させるアプリケーションを切り替える場合について説明したが、１つのボタンの押下の仕方に応じて、起動させるアプリケーションを切り替えるようにしてもよい。
【０１４８】
例えば、非TVアプリケーションの起動中に電源オフとなり、その後、電源ボタンが１回押下された場合、電源オフの直前に起動させていた非TVアプリケーションを起動させ、電源ボタンが長押しされた場合、TV視聴アプリケーション１２−１を起動させるようにすることが可能である。ボタンの押下の仕方については、長押しと短押しといったように押下している時間で区別されるようにしてもよいし、シングルクリックとダブルクリックといったように所定時間内に押下する回数で区別されるようにしてもよい。
【０１４９】
また、以上においては、アプリケーションが起動している状態とは、実行中のアプリケーションが画面表示を行っている状態であるものとしたが、例えば、非TVアプリケーションが実行中ではあるものの、画面表示を行っていない状態（いわゆる裏で動作している状態）で電源オフとなった場合にも、上述した挙動と同じ挙動がとられるようにすることが可能である。例えば、非TVアプリケーションが実行中であるものの画面表示を行っていない状態で電源オフとなり、その後、選局ボタンが押下された場合、電源オンとなり、TV視聴アプリケーションが優先されて起動し、TV視聴アプリケーションにより、選択されたチャンネルの受信が開始されるようにしてもよい。
【０１５０】
＜コンピュータの構成例＞
上述した一連の処理は、ハードウェアにより実行することもできるし、ソフトウェアにより実行することもできる。一連の処理をソフトウェアにより実行する場合には、そのソフトウェアを構成するプログラムが、専用のハードウェアに組み込まれているコンピュータ、または汎用のパーソナルコンピュータなどに、プログラム記録媒体からインストールされる。
【０１５１】
図１１は、上述した一連の処理をプログラムにより実行するコンピュータのハードウェアの構成例を示すブロック図である。
【０１５２】
CPU(Central Processing Unit)１００１、ROM(Read Only Memory)１００２、RAM(Random Access Memory)１００３は、バス１００４により相互に接続されている。
【０１５３】
バス１００４には、さらに、入出力インタフェース１００５が接続される。入出力インタフェース１００５には、キーボード、マウスなどよりなる入力部１００６、ディスプレイ、スピーカなどよりなる出力部１００７が接続される。また、入出力インタフェース１００５には、ハードディスクや不揮発性のメモリなどよりなる記憶部１００８、ネットワークインタフェースなどよりなる通信部１００９、リムーバブルメディア１０１１を駆動するドライブ１０１０が接続される。
【０１５４】
以上のように構成されるコンピュータでは、CPU１００１が、例えば、記憶部１００８に記憶されているプログラムを入出力インタフェース１００５及びバス１００４を介してRAM１００３にロードして実行することにより、上述した一連の処理が行われる。
【０１５５】
CPU１００１が実行するプログラムは、例えばリムーバブルメディア１０１１に記録して、あるいは、ローカルエリアネットワーク、インターネット、デジタル放送といった、有線または無線の伝送媒体を介して提供され、記憶部１００８にインストールされる。
【０１５６】
なお、コンピュータが実行するプログラムは、本明細書で説明する順序に沿って時系列に処理が行われるプログラムであっても良いし、並列に、あるいは呼び出しが行われたとき等の必要なタイミングで処理が行われるプログラムであっても良い。
【０１５７】
本明細書において、システムとは、複数の構成要素（装置、モジュール（部品）等）の集合を意味し、すべての構成要素が同一筐体中にあるか否かは問わない。したがって、別個の筐体に収納され、ネットワークを介して接続されている複数の装置、及び、１つの筐体の中に複数のモジュールが収納されている１つの装置は、いずれも、システムである。
【０１５８】
本明細書に記載された効果はあくまで例示であって限定されるものでは無く、また他の効果があってもよい。
【０１５９】
本技術の実施の形態は、上述した実施の形態に限定されるものではなく、本技術の要旨を逸脱しない範囲において種々の変更が可能である。
【０１６０】
＜構成の組み合わせ例＞
本技術は、以下のような構成をとることもできる。
【０１６１】
（１）
チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に装置の電源がオフにされ、前記装置が電源オフになっている状態で、
電源のオンまたはオフに用いられる電源ボタンが押下された場合、
前記装置の電源をオンにするとともに前記第２のアプリケーションを起動し、前記第２のアプリケーションの画面を表示させ、
チャンネルの選択に用いられる選局ボタンが押下された場合、
前記装置の電源をオンにするとともに前記第１のアプリケーションを起動し、選択されたチャンネルで提供されている前記番組の映像を表示させる
ステップを含む制御方法。
（２）
所定のチャンネルで提供されている前記番組の映像の表示中に前記装置の電源がオフにされ、前記装置が電源オフになっている状態で、
前記電源ボタンが押下された場合、
前記装置の電源をオンにするとともに前記第１のアプリケーションを起動し、前記装置の電源がオフにされる直前に選択されていたチャンネルで提供されている前記番組の映像を表示させ、
前記選局ボタンが押下された場合、
前記装置の電源をオンにするとともに前記第１のアプリケーションを起動し、選択されたチャンネルで提供されている前記番組の映像を表示させる
ステップをさらに含む前記（１）に記載の制御方法。
（３）
前記第１のアプリケーションは、放送信号を用いて提供される前記番組の処理を行うアプリケーションであり、
前記第２のアプリケーションは、ユーザによる選択に応じてネットワークを介して提供される動画コンテンツの処理を行うアプリケーションである
前記（１）または（２）に記載の制御方法。
（４）
前記電源ボタンと前記選局ボタンが用意された操作機器から送信されたコマンドに応じて、前記電源ボタンと前記選局ボタンのうちのいずれのボタンが押下されたのかを判定する
ステップをさらに含む前記（１）乃至（３）のいずれかに記載の制御方法。
（５）
チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に装置の電源がオフにされ、前記装置が電源オフになっている状態で、
電源のオンまたはオフに用いられる電源ボタンが押下された場合、
前記装置の電源をオンにするとともに前記第２のアプリケーションを起動し、前記第２のアプリケーションの画面を表示させ、
チャンネルの選択に用いられる選局ボタンが押下された場合、
前記装置の電源をオンにするとともに前記第１のアプリケーションを起動し、選択されたチャンネルで提供されている前記番組の映像を表示させる
ステップを含む処理をコンピュータに実行させるプログラム。
（６）
チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に電源をオフにすることが指示された場合、電源をオフとし、電源オフになっている状態で、電源のオンまたはオフに用いられる電源ボタンが押下された場合、または、チャンネルの選択に用いられる選局ボタンが押下された場合、電源をオンにする電源制御部と、
前記電源ボタンが押下されたことに応じて電源がオンになったとき、前記第２のアプリケーションを起動し、前記第２のアプリケーションの画面を表示させ、前記選局ボタンが押下されたことに応じて電源がオンになったとき、前記第１のアプリケーションを起動し、選択されたチャンネルで提供されている前記番組の映像を表示させる起動制御部と
を備える制御装置。
（７）
チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に装置の電源がオフにされ、前記装置が電源オフになっている状態で、
所定のチャンネルで提供されている前記番組の映像の表示中にはチャンネルの選択に用いられ、前記第２のアプリケーションの画面の表示中には、割り当てられた所定の処理の選択に用いられる選局ボタンが押下された場合、
前記装置の電源をオンにするとともに前記第２のアプリケーションを起動し、前記所定の処理を行う
ステップを含む制御方法。
（８）
前記装置が電源オフになっている状態で前記選局ボタンが押下された場合、
前記装置の電源をオンにするとともに、前記第１のアプリケーションを起動して、選択したチャンネルで提供されている前記番組の映像を表示させるのか、前記第２のアプリケーションを起動して、前記所定の処理を行うのかの選択に用いられる画面を表示し、
前記所定の処理を行うことがユーザにより選択された場合に、前記第２のアプリケーションを起動して前記所定の処理を行う
ステップをさらに含む前記（７）に記載の制御方法。
（９）
前記装置が電源オンの状態であり、前記第２のアプリケーションの画面の表示中に、前記選局ボタンが押下された場合、
選択したチャンネルで提供されている前記番組の映像を表示させるのか、前記第２のアプリケーションによる前記所定の処理を行うのかの選択に用いられる画面を表示し、
前記所定の処理を行うことがユーザにより選択された場合に、前記第２のアプリケーションにより前記所定の処理を行う
ステップをさらに含む前記（７）に記載の制御方法。
（１０）
チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に装置の電源がオフにされ、前記装置が電源オフになっている状態で、
所定のチャンネルで提供されている前記番組の映像の表示中にはチャンネルの選択に用いられ、前記第２のアプリケーションの起動中には、割り当てられた所定の処理の選択に用いられる選局ボタンが押下された場合、
前記装置の電源をオンにするとともに前記第２のアプリケーションを起動し、前記所定の処理を行う
ステップを含む処理をコンピュータに実行させるプログラム。
（１１）
チャンネル毎に予め決められたスケジュールに従って提供される番組の視聴に用いられる第１のアプリケーションと、前記第１のアプリケーションとは異なる第２のアプリケーションとのうちの前記第２のアプリケーションの画面の表示中に電源をオフにすることが指示された場合、電源をオフとし、電源オフになっている状態で、所定のチャンネルで提供されている前記番組の映像の表示中にはチャンネルの選択に用いられ、前記第２のアプリケーションの起動中には、割り当てられた所定の処理の選択に用いられる選局ボタンが押下された場合、電源をオンにする電源制御部と、
前記選局ボタンが押下されたことに応じて電源がオンになったとき、前記第２のアプリケーションを起動し、前記所定の処理を行う起動制御部と
を備える制御装置。
【符号の説明】
【０１６２】
１  テレビジョン受像機，  ２  配信サーバ，  ４  リモートコントローラ，  １２１  コマンド受信部，  １２２  電源制御部，  １２３  アプリケーション起動制御部，  １２４  表示制御部
【図１】
2018117311.tif 000003
【図２】
2018117311.tif 000004
【図３】
2018117311.tif 000005
【図４】
2018117311.tif 000006
【図５】
2018117311.tif 000007
【図６】
2018117311.tif 000008
【図７】
2018117311.tif 000009
【図８】
2018117311.tif 000010
【図９】
2018117311.tif 000011
【図１０】
2018117311.tif 000012
【図１１】
2018117311.tif 000013